(57)【要約】  本発明は、尾栓スライド（３７）と、その上に配置された装弾補助器（１）とを有するピストルに関し、上記装弾補助器（１）は、上記尾栓スライド（３７）の外側表面から、少なくとも１つの突出部分（２１）の形態で突出し、上記尾栓スライド（３７）上に着脱可能に設置される。このピストルの装弾補助器（１）は照準要素（７１）の下側に配置され、この照準要素（７１）の基部（７５）によって、外に落ちないように固定される。本発明はまた、ピストル用の尾栓スライド（３７）に関し、上記尾栓スライド（３７）は略Ｕ字型のプロファイルを有し、また、尾栓スライド（３７）上に着脱可能に設置される装弾補助器（１）を有する。上記尾栓スライド（３７）の上記装弾補助器（１）は、照準要素（７１）の下側に配置され、上記照準要素（７１）の基部（７５）によって、外に落ちないように固定される。最後に本発明は、尾栓スライド（３７）用の装弾補助器（１）に関し、上記装弾補助器（１）の設置用基部（１８）は、上記尾栓スライド（３７）の第１の凹部（３９）と相補的となるよう設計される。【選択図】図３
2016521344.tif 000002
【特許請求の範囲】
【請求項１】
尾栓スライド（３７）と、前記尾栓スライド（３７）上に配置された装弾補助器（１）とを有するピストルであって、
前記装弾補助器（１）は、前記尾栓スライド（３７）の外側表面から、少なくとも１つの突出部分（２１）の形態で突出し、
前記装弾補助器（１）は、前記尾栓スライド（３７）上に着脱可能に設置される、ピストルにおいて、
前記装弾補助器（１）は照準要素（７１）の下側に配置され、前記照準要素（７１）の基部（７５）によって、外に落ちないように固定されることを特徴とする、ピストル。
【請求項２】
前記ピストルの前記装弾補助器（１）は、前記尾栓スライド（３７）の両側に装弾補助器挿入部（３、５）をそれぞれ備え、
前記装弾補助器挿入部（３、５）は、互いに対して鏡像関係に配置されるか、又は互いに対してオフセットされている、請求項１に記載のピストル。
【請求項３】
ピストル用の尾栓スライド（３７）であって、
前記尾栓スライド（３７）は、略Ｕ字型のプロファイルを有し、また、前記尾栓スライド（３７）上に着脱可能に設置される装弾補助器（１）を有する、尾栓スライド（３７）において、
前記尾栓スライド（３７）の前記装弾補助器（１）は、固定要素、特に照準要素（７１）の下側に配置され、前記照準要素（７１）の基部（７５）によって、外に落ちないように固定されることを特徴とする、尾栓スライド（３７）。
【請求項４】
前記尾栓スライド（３７）は、前記尾栓スライド（３７）の外側表面（５１）上に、前記装弾補助器（１）の着脱可能な設置のための第１の凹部（３９）を備え、
前記第１の凹部（３９）は、前記装弾補助器（１）の設置用基部（１８）と相補的となるように設計される
ことを特徴とする、請求項３に記載の尾栓スライド（３７）。
【請求項５】
前記尾栓スライド（３７）の前記第１の凹部（３９）は、少なくとも１つの凹部セクション（４１、４３）を備え、
前記少なくとも１つの凹部セクション（４１、４３）は、前記尾栓スライド（３７）の側部表面及び／又は上側表面上に形成され、前記尾栓スライド（３７）の長手方向軸を横切るように延在する、請求項４に記載の尾栓スライド（３７）。
【請求項６】
前記尾栓スライド（３７）の前記第１の凹部（３９）は、前記装弾補助器（１）又は前記装弾補助器（１）の装弾補助器挿入部（３、５）を挿入するため及び取り外すためのガイド表面（６３）を備え、
前記ガイド表面（６３）は、蟻溝式ガイドの様式の切欠き部を有する、請求項３〜５のいずれか１項に記載の尾栓スライド（３７）。
【請求項７】
前記尾栓スライド（３７）の前記第１の凹部（３９）は、前記尾栓スライド（３７）の両側に凹部セクション（４１、４３）をそれぞれ有し、
前記凹部セクション（４１、４３）は、互いに対してオフセットされた状態で、又は前記尾栓スライド（３７）の長手方向軸に関して互いの鏡像として、形成される、請求項３〜６のいずれか１項に記載の尾栓スライド（３７）。
【請求項８】
特に照準要素（７１）の形態の固定要素を受承するための、少なくとも１つの第２の凹部（８１）を有し、
前記照準要素（７１）は、取り付けられた前記装弾補助器（１）又は前記装弾補助器（１）の前記装弾補助器挿入部（３、５）を、前記尾栓スライド（３７）から外に落ちないように、又は前記尾栓スライド（３７）の内側で変位しないように固定し、
前記第２の凹部（８１）は特に、ガイド表面（５９）を蟻溝式ガイドの様式で有する、請求項３〜７のいずれか１項に記載の尾栓スライド（３７）。
【請求項９】
前記第１の凹部（３９）は、前記尾栓スライド（３７）の後端領域に設けられる、請求項３〜８のいずれか１項に記載の尾栓スライド（３７）。
【請求項１０】
請求項３〜９のいずれか１項に記載の尾栓スライド（３７）用の、装弾補助器（１）であって、
前記装弾補助器（１）の設置用基部（１８）は、前記尾栓スライド（３７）の第１の凹部（３９）と相補的となるよう設計される、装弾補助器（１）。
【請求項１１】
前記装弾補助器（１）の装弾補助器挿入部（３、５）は、略Ｌ字型の脚（７、１７）を備え、
前記脚（７、１７）の外側表面は、把持可能な突出部分（２１）として設計される、請求項１０に記載の装弾補助器（１）。
【発明の詳細な説明】
【技術分野】
【０００１】
本発明は、尾栓スライド及び尾栓スライド上に配置された装弾補助器に関し、上記装弾補助器は、尾栓スライドの外側表面からの少なくとも１つの突出部分の形態で突出し、尾栓スライド上に着脱可能に設置される。
【０００２】
本発明はまた、略Ｕ字型のプロファイルを備えるピストル用の尾栓スライド、及び上記尾栓スライド上に着脱可能に設置された装弾補助器に関する。
【０００３】
最後に本発明は、尾栓スライド用の装弾補助器に関する。
【０００４】
本文書において、「上へ（ｕｐ）」、「下へ（ｄｏｗｎ）」、「前方（ｆｒｏｎｔ）」「後方（ｂａｃｋ）」等の位置に関する用語は常に、砲身軸が水平になった通常射撃位置にピストルを保持する射手から見てのものである。
【背景技術】
【０００５】
尾栓上部、尾栓スライダ又は遊底スライドとも呼ばれる尾栓スライドと、その上に配置された１つ又は複数の装弾補助器とを有するピストルは、様々な実施形態において公知である。
【０００６】
尾栓スライドは略Ｕ字型の断面プロファイルを有し、端部が内側に向けて部分的に閉じられており、ピストル上に移動可能に配置される。
【０００７】
装弾補助器は、射手が装弾する、並びに／又はボルトスプリング及びそれに伴って撃鉄を起こすのを補助する役割を有する。
【０００８】
１発分の装弾を行うために、射手は通常、ハンドル又は台尻においてピストルを片手で保持し、もう一方の手で尾栓スライド又はボトルスライドを上から把持する。続いて射手は、ハンドル内に配置されたボルトスプリング及びそれに伴う撃鉄のばね力に対して尾栓スライドが停止するまで尾栓スライドを引き戻す。尾栓スライドは、これによってピストル内に挿入されたマガジンの上を摺動し、マガジン上方に空間を開く。続いてマガジンスプリングは実包を、尾栓スライドの運動経路内に向かってマガジンを出るように上向きに押し上げる。尾栓スライドをその後部位置において解放した後、尾栓スライドはその下側において、ボルトスプリングのばね力によって駆動された実包と、より正確にはカートリッジ基部と係合し、実包を薬室内に向かって前方へと押す。こうしてピストルは発砲できる状態となる。
【０００９】
更に、撃鉄を有するピストル、並びに撃鉄を有しないピストルが公知である。
【００１０】
撃鉄を有するピストルの場合、射手は装弾時に撃鉄を起こす。続いて射手は１発の発砲を行うために、引金及びそれに伴って掛金を作動させる。これにより、起こされた撃鉄は解放されて撃針を打つ。撃針は雷管を打ち、これによって実包を発砲する。発砲後、尾栓スライドは薬室から空になった薬莢を引き抜き、上記薬莢を廃棄して、尾栓スライドが再び前方に移動する際に新たな薬莢を導入する。
【００１１】
撃鉄を有しないピストルの場合、撃針スプリングは撃鉄の機能を備える。装弾中、尾栓スライドをその後部位置において解放した後、撃針はハンドル内の引金機構の引金レバーによって尾栓スライド内に保持され、撃針スプリングは、ボルトスプリングによって前方に移動された尾栓スライドによって圧縮される。その後射手が引金機構を作動させると、これにより、張力を掛けられた撃針が解放されるか、又はダブルアクションシステムでは撃針スプリングに張力の全て若しくは一部が掛けられた後すぐに、この場合に張力を掛けられた撃針が解放され、これによって上述のように１発の発砲が行われる。このように、撃鉄を有しないピストルには撃鉄の衝突力は存在せず、従って撃針スプリングのばね力は、雷管に対する撃針の十分な打撃力を提供して発砲を保証できるよう、十分に大きくなければならない。尾栓スライドが前方に移動している時に撃針スプリングを圧縮するために、撃鉄を有しないピストルのボルトスプリングは、撃鉄を有するピストルの場合よりも強くなければならない。そのため、撃鉄を有するピストルの場合よりも撃鉄を有しないピストルの場合の方が、スライドを引き戻してボルトスプリングの力を上回るために力を多く消費する。
【００１２】
上述の装弾及び／又はコッキングは、特に撃鉄を有しないピストルの場合に、上回らなければならないばね力のせいで、手による把持の強さが比較的弱い射手にとっては困難である場合がある。発砲に用いる方の手のサイズもまた、ピストルのコッキング／装弾中の困難につながり得る。十分な把持力がある場合であっても、尾栓スライドの表面に水、汚れ及び／又は油が付着している場合、射手の指が滑るリスクがあり得る。これは、装弾中の、従って発砲準備時の困難又は遅延につながり得る。
【００１３】
この問題を解決するために、装弾補助器が公知である。１つのこのような補助器は、尾栓スライドから横方向に突出し、結果として尾栓スライドの断面プロファイルの幅を広げ、これによって尾栓スライドの把持表面を拡大して、このようにして尾栓スライドの把持を改善する。
【００１４】
この装弾補助器は、尾栓スライドを把持する手の指のための支承表面を拡大する。これによってこの装弾補助器は、ピストルのコッキング又は装弾のために必要な力の作用点を、尾栓スライドの側部表面から、突出している装弾補助器へと変位させることができる。従ってこの尾栓は、装弾補助器を有しない尾栓スライドに比べて小さい把持強度で装弾を行うことができる。
【００１５】
尾栓スライドの把持を更に改善するために、尾栓スライドの側壁に多数の溝をフライス削り加工することも公知である。
【００１６】
特許文献１は、片手での装弾を可能とするよう構成された、ピストル用の装弾補助器を開示している。尾栓スライドは、尾栓スライドから横方向に突出した２つのカムを備える。更に、いわゆる爪部ハウジングが設けられ、これは、射手がその胴体又は脚上のホルスタとして装着するものである。装弾のために、射手は、発砲に用いる方の手を用いてピストルを爪部ハウジングに挿入し、これにより上記爪部ハウジングは上記カムと係合する。続いて射手がピストルを下方に動かすと、爪部ハウジングはカム及びそれに伴って尾栓スライドを保持し、射手はハンドルを更に移動させ続けることで、１発分の装弾を行うことができる。
【００１７】
ベルギーの製造者ＦＮ  Ｈｅｒｓｔａｌのピストル「Ｆｉｖｅ  ＳｅｖｅＮ」は、装弾補助器として２つの側方突出部分を備える。これらの突出部分は、尾栓スライドを内包するプラスチック製シース内に一体として形成される。
【００１８】
Ｂｒｏｗｎｉｎｇのピストル「Ｂｕｃｋ  Ｍａｒｋ」の場合、スライド端部の両側に溝が設けられており、そこにカム又はラグを挿入できる。カム又はラグはそれぞれ、スライドのコッキングを容易にするよう構成される。
【００１９】
概して、公知の装弾補助器は、その取り扱いに関して柔軟性がなく、複数の異なる人間工学的な要求に適合することは極めて困難である。
【先行技術文献】
【特許文献】
【００２０】
【特許文献１】独国特許第１０２００５０５３３７３Ａ１号
【発明の概要】
【発明が解決しようとする課題】
【００２１】
本発明の目的は、上で列挙した欠点を克服するため、又は上記欠点を少なくとも軽減するために、改良されたピストル、改良された尾栓スライド及び改良された装弾補助器を提供することである。
【課題を解決するための手段】
【００２２】
この目的はそれぞれ、独立請求項１、３、１０の主題によって達成される。
【００２３】
従って、請求項１によると、主要概念としてのピストルは、以下の追加の特徴を有する。即ち：その装弾補助器は固定要素、特に照準要素の下側に配置され、この要素の基部によって、外に落ちないように固定される。
【００２４】
請求項３の主要概念としての尾栓は、その装弾補助器が固定要素、特に照準要素の下側に配置され、この要素の基部によって、外に落ちないように固定される点で区別される。
【００２５】
請求項１０の主要概念としての装弾補助器は、その設置用基部が、尾栓スライドの第１の凹部と相補的なものとなるように設計される点で区別される。
【００２６】
上記照準要素は例えば照準ノッチとして設計してよく、これはピストルの尾栓スライド内に挿入された装弾補助器を固定する。このために、照準要素は相補的凹部（これ以降、第２の凹部とも呼ばれる）に挿入でき、この相補的凹部は、照準要素が、尾栓スライド内に挿入された装弾補助器を、頂部に向かって外に落ちないように固定するように設計される。第２の凹部はまた、工具を用いずに組み付けることができる。
【００２７】
装弾補助器は本発明によるピストル上に着脱可能に設置されるため、装弾補助器を置換及び／又は交換できる。装弾補助器は、単一部品又は複数部品設計であってよい。例えば装弾補助器は尾栓スライドの全体若しくは一部を内包でき、又は側部表面及び／若しくは上部表面といった外側表面上のみに設けることができる。上記交換は工具を用いても用いなくても実行でき、極めて容易に実行できる。
【００２８】
着脱可能な組立体は、尾栓スライド上又は尾栓スライド内への装弾補助器の圧力嵌合及び／又は形状嵌合接続によって得ることができる。尾栓スライドの第１の凹部と相補的なものとなるように設計された設置用基部は、第１の凹部内への挿入を、並びにそれに伴って装弾補助器との圧力嵌合及び／又は形状嵌合接続を容易にする。
【００２９】
特に撃鉄を有しないピストルの場合、上述のボルトスプリングが比較的強く、これによってコッキング／装弾のために必要な把持強度が高くなるため、各射手の手に適合させることができる異なる複数の装弾補助器を使用することが重要である。これにより射手は独立して、装弾補助器を射手それぞれの人間工学的な要求に適合させることができる。装弾補助器はこのために適切かつ好適な寸法及びサイズを呈することができる。例えば把持に用いる方の手が小さい女性の射手は、これに対応して比較的大きいサイズの装弾補助器を尾栓スライド上に設置でき、又は把持に用いる方の手が比較的大きい射手は、これに従って比較的小さいサイズの装弾補助器を尾栓スライド上に設置できる。あるいは、適切な把持強度を有する射手は、装弾補助器に設けられた収容用凹部を単に覆う、ダミーラグを用いることができる。このような手段により、本発明によるピストルのエルゴノミクス及びそれに伴う機能的信頼性を改善できる。
【００３０】
また、本発明による装弾補助器を複数の異なる使用法のために交換でき、又はダミーラグの使用によって、尾栓スライドの装弾補助器に設けられた収容用凹部を、塵芥を防ぐように覆うことができる。ピストルを使用することになる場所の気候条件に従って、装弾補助器を適合させることもできる。より良好な把持特性を有する比較的大型の装弾補助器は、乾燥領域においてよりも湿度の高い気候においてより望ましい。
【００３１】
概して、本発明による装弾補助器は、従来技術による装弾補助器よりもその操作に関してより柔軟であり、特に人間工学的特性に関して、異なる複数の射手の手の個別の解剖学的特徴に、より容易に適合させることができる。
【００３２】
ピストルは好ましくは、尾栓スライドの各側部に１つの装弾補助器挿入部を備え、これらは互いに鏡像関係となるよう、又は互いに対してオフセットされた状態となるよう配置される（請求項２）。
【００３３】
そのために装弾補助器挿入部は、尾栓スライドの一方若しくは両方の側部表面及び／又は上側表面上に設けられる。このように装弾補助器は、１つ又は多数の挿入部として設計できる。１つ又は複数の挿入部は、射手の手の複数の異なる解剖学的特徴に対応して、複数の異なる形状及びサイズを有することができる。例えば装弾補助器はＵ字型の設計を有することができ、尾栓スライドの全体又は一部を包含できる。あるいは装弾補助器は、尾栓スライドの１つ又は２つの側部上に、２つの別個の装弾補助器挿入部を備えることができ、これらはそれぞれ、置換可能となるように、尾栓スライドの外側表面及び／又は上側表面上に設置できる。
【００３４】
オフセット構成は、親指及び人差し指の異なる長さを考慮し、これによって装弾中の、把持に用いる方の手の捻れを回避する。従って、尾栓スライド及びそれに伴ってピストルは特に、左利きの射手又は右利きの射手の両方のために構成できる。
【００３５】
鏡像構成は、製造技術の観点から容易に実装でき、上記と同様に、左利きの人物及び右利きの人物両方のためのピストルの柔軟な使用を可能とする。装弾補助器の寸法が調製可能であるため、この構成によって人間工学的な要求が満たされる。両方の場合において、各側部上で異なる寸法の挿入部を使用すること、例えば親指側において人差し指用よりも大きな挿入部を使用することもできる。
【００３６】
尾栓スライドは好ましくは、その外側かつ上側表面に装弾補助器を着脱可能に設置するための第１の凹部を備え、上記外側かつ上側表面は、装弾補助器の設置用基部と相補的となるよう設計される（請求項４）。
【００３７】
第１の凹部は、いずれの追加のアタッチメントを用いずに装弾補助器を上記凹部内に保持できるよう、装弾補助器に対して適合される。また第１の凹部により、異なる複数の装弾補助器を、モジュールを選択する方式で使用できるようになる。このようにして、射手は尾栓スライド及びこれを備えるピストルを、自身の個人的な好み及び／又は解剖学的特徴に適合させることができ、エルゴノミクスを改善できる。第１の凹部は、例えばピストルの外側にある尾栓スライドの表面を全体的又は部分的に包囲でき、従って例えばＵ字型装弾補助器の使用のために設計できる。包囲型凹部は製造技術的には簡単に製造でき、またこれにより装弾補助器に更に大きな支承表面を設けることができる。この凹部は、尾栓スライドにフライス削り、エッチング、又は当業者に公知の別の方法を用いて形成できる。この凹部は、尾栓スライドの製造中に既に形成されているようにもでき、又は後で形成することもできる。
【００３８】
尾栓スライドは好ましくは、尾栓スライドの側部表面及び／又は上部表面に形成された、その長手方向軸を横切って延在する少なくとも１つの凹部セクションを備える（請求項５）。
【００３９】
凹部を側方に形成することにより、装弾補助器の側方からの挿入が可能となる。長手方向軸を横切るように凹部を配置することにより、装弾補助器を尾栓スライド上に、人間工学的に有利な様式で配置できる。例えば凹部は、全体的又は部分的に尾栓スライドを覆うように延在できる。
【００４０】
第１の凹部は好ましくは、尾栓スライドの側部表面及び／又は上部表面に形成された、その長手方向軸を横切って延在する少なくとも１つの凹部セクションを備える。
【００４１】
第１の凹部は好ましくは、装弾補助器又はその装弾補助器挿入部のうちの１つの挿入及び取り外しのための、尾栓スライド内のガイド表面を備え、このガイド表面は特に蟻溝式に切削されている（請求項６）。
【００４２】
この手段により、装弾補助器の挿入及び取り外しが容易になる。凹部と装弾補助器との間の蟻継ぎ接続は、装弾補助器の落下を防止できるため有利である。あるいは、又は更に、クランプ、ねじ若しくは接着剤又は他の好適な着脱可能な取り付け手段を用いて、装弾補助器を第１の凹部に固定することもできる。
【００４３】
尾栓スライドの第１の凹部は好ましくは、尾栓スライドの両側に凹部セクションを有し、これらの凹部は、尾栓スライドの長手方向軸に関して互いにオフセットされているか、又は互いの鏡像として形成されている（請求項７）。
【００４４】
このように、簡素な手段を用いて、装弾補助器を人間工学的な要件に柔軟かつ個別的に適合させることができる。
【００４５】
尾栓スライドは好ましくは、特に照準要素の形態である固定要素を収容するための少なくとも１つの第２の凹部を有し、これは、設置された装弾補助器又はその装弾補助器挿入部を、尾栓スライドから落ちないように又は尾栓スライド内で変位しないように固定し、第２の凹部は特に、蟻溝式のガイド表面を有する（請求項８）。
【００４６】
固定要素及び照準要素としての二重の機能を有することにより、追加の固定要素、即ち追加の構成部品は不要となる。照準要素は例えば、ノッチ、Ｖ字型照準又は孔型照準を備えることができる。光学デバイス、レーザ補助デバイス又は照明手段を有する照準デバイスも、固定要素として使用できる。固定要素はまた、ねじ、リベット、接着剤又はクランプ接続を用いて尾栓スライド及び／又は装弾補助器に接続できる。
【００４７】
第１の凹部は好ましくは、尾栓スライドの後端領域に設けられる（請求項９）。
【００４８】
装弾補助器又はその装弾補助器挿入部は好ましくは、略Ｌ字型の脚を備え、これらの脚の外側は、把持可能な突出部分として設計される（請求項１１）。
【００４９】
これにより、装弾補助器に関して設置位置をただ１つだけ画定でき、誤操作を防止できる。
【００５０】
第１の凹部はまた、照準要素が１つの画定された位置においてのみ尾栓スライドに接続でき、従って装弾補助器の置換後の照準の再調整が不要となるように設計することもできる。この画定された位置は例えば、非対称接続を用いて達成でき、これにより、装弾補助器及び／又は尾栓スライドに対して、唯一の特定の照準位置を定めることができる。
【００５１】
装弾補助器は、例えばプラスチック又はエラストマ等の適切かつ好適な材料から安価に製造でき、また任意に着色することもでき、この着色により、ずれてしまう場合がある補助器の再配置を容易にすることができる。
【００５２】
装弾補助器はまた、その相補的外縁部上に特徴部分を有することもでき、これはガイド表面に対して堅固に結合し、これによって装弾補助器の落下を更に防止する。
【００５３】
装弾補助器は好ましくは、武器の尾栓スライドから側方に、０．０１ｍｍ〜０．８ｍｍ、特に０．０１〜０．３ｍｍの範囲で突出し、これによって射手に十分に大きな把持表面を提供する。
【００５４】
あるいは装弾補助器の代わりにダミーラグを設けてよく、これは装弾補助器とは違って側方に突出せず、単に尾栓スライドの凹部を、好ましくは尾栓スライドの表面と同一平面となるように被覆及び／又は充填するものである。このダミーラグを用いることにより、本発明による凹部を有する尾栓スライドを、公知の尾栓スライドと同一の様式で、何の不利な点もなく使用できる。
【００５５】
装弾補助器若しくはダミーラグ及び／又は尾栓スライドは全て、滑り止め外側表面を有することが好ましい。
【００５６】
滑り止め外側表面は、外側表面の溝等の凹部を用いて、又はラバーコーティングを用いて生成できる。これにより、手袋を用いても及び／又は湿った環境においても、滑らずに装弾補助器を操作できるようになる。このようにしてピストルの取り扱いを改善できる。
【００５７】
尾栓スライド、装弾補助器及び／又はダミーラグは好ましくは、改造キットとして設計される。
【００５８】
本発明によるピストルの簡素な構造により、尾栓スライド、装弾補助器及びダミーラグを、最小限の再機械加工によって、既存の尾栓スライドに追加導入することもできる。例えば、フライス削り機によって尾栓スライドをフライス削り加工することができる。
【００５９】
現代的な、現在製造されているピストルの場合、尾栓スライドは好ましくは、このタイプの装弾補助器を収容するように初めから設計される。
【００６０】
多くのピストルは現在、故障した又は欠陥のある構成部品を簡単に置換できるように、別個のサブアセンブリから形成される。その結果、装弾補助器を使用するために従来の尾栓スライドを本発明による尾栓スライドに置換することにより、既存のピストルを改造できる。
【００６１】
これより、添付の概略図を参照して、本発明の例示的実施形態を更に詳細に説明する。
【図面の簡単な説明】
【００６２】
【図１】図１は、本発明による装弾補助器の正面斜め上方からの斜視図である。
【図２】図２は、本発明による尾栓スライドの後部の正面斜め上方からの斜視図である。
【図３】図３は、本発明による図２の尾栓スライド及び装弾補助器の、組み立て中の図である。
【図４】図４は、図３の尾栓スライド及び上記尾栓スライドの両側に挿入された装弾補助器を示す。
【図５】図５は、図４の尾栓スライドを示し、挿入された装弾補助器は照準ノッチによって固定されている。
【発明を実施するための形態】
【００６３】
まず、図１、２に基づいて装弾補助器１の構成を説明する。装弾補助器１は２つの装弾補助器挿入部３、５を備え、これらは互いの鏡像として設計されており、略逆Ｌ字型を有する。Ｌ字型の長い方の脚７はそれぞれ下向きに延在し、Ｌ字型の短い方の脚１７は反対方向から互いに向き合っている。挿入部３、５は、左側及び右側の相補的凹部３９内に設置されるよう構成されており、これら左側及び右側相補的凹部３９は、尾栓スライド内に互いの鏡像として、特に尾栓スライドの切欠き部として形成される（図２参照）。このために、Ｌ字型の長脚７と短脚１７との間の内角９はそれぞれ、凹部３９の外角４５と相補的となるように設計される。内角９は９０°〜１５０°、特に９０°〜１１５°の範囲で形成でき、上記外角も同一範囲内とすることができる。
【００６４】
装弾補助器１の長脚７はそれぞれ、突出部分として形成された外側表面２１と、尾栓スライド３７の第１の凹部３９への連結のために相補的な形状を有する設置用基部１８とを備える。装弾補助器１の長脚７内のこのような内部キャビティは、どのような材料を使用するかにかかわらず材料の弾性を向上させるという利点を有する。ガイド表面２３は長脚７を取り囲み、凹部３９の嵌合表面６３をアンダカットする。組み立て済みの状態では、外側表面２１上の突出部分はハンドル３３として機能し、これは射手の手（図示せず）のための把持表面を形成する。ハンドル３３は頂線３５の両側に延在し、斜めに外向きに突出している。
【００６５】
更に、Ｌ字型の長脚７の外側表面２１は、設置用基部１８に対面する端部において、設置用基部１８よりも幅が広くなっており、これにより、外側表面２１からガイド表面２３への遷移部分に段差が形成される。更に、長脚７の外側表面２１は、その延長部分２７によって、設置用基部１８をその長手方向に超えて下向きに延在する。外側表面２１は、短脚１７への遷移部分２９の、短脚１７に対面する端部において、平坦化されており、短脚１７の平坦な表面へと遷移する。全体として、各長脚７は短脚１７より幅広く、これによりガイド表面２３の上端部３１はその幅に関して短脚１７を覆うように延在する。
【００６６】
更に、各ガイド表面２３には４つの特徴部分１１が設けられており、これらは互いに対して鏡像として設計され、これらのうち、観察者の方を向いた先頭の２つの特徴部分１１のみを図１に示している。これらの特徴部分１１はガイド表面２３を部分的に覆うように延在し、凹部２５が脚７の内部キャビティ内に配置され（図１の挿入部５を参照）、これは、キャビティの弾性を更に向上させ、尾栓スライド３７の凹部３９内に長脚７を弾性クランプ留めによって受承するために役立ち、尾栓スライド３７内に設置された挿入部３の嵌合を改善する。特徴部分１１の縁部表面１９の平坦部分は、凹部３９への挿入又は凹部３９からの取り外しを容易にする。
【００６７】
図２は、ピストルのための尾栓スライド３７の後部領域を示す。鏡像関係の凹部３９が尾栓スライドに設けられ、上記凹部３９内には、これらに対して相補的な挿入部３、５をそれぞれ、装弾補助器１の設置用基部１８を用いて挿入できる。凹部３９は、短脚１７を収容するための短凹部セクション４１、及び長脚７を収容するための長凹部セクション４３に分割されている。短凹部セクション４１及び長凹部セクション４３はそれぞれ、尾栓スライド３７の外側表面において尾栓スライド３７の長手方向軸を横切るように形成される。
【００６８】
各短凹部セクション４１は、反対側の凹部セクション４１に対面する端部において半円形状を有し、その内部寸法は、装弾補助器１の短脚１７の外部寸法に対応する。側壁１３は短凹部セクション４１に隣接する。側壁１３は、挿入中に短脚１７をガイドするガイド表面として機能する。短凹部セクション４１はその外側端部において、各挿入部３、５の内角９と相補的な外角４５で、長凹部セクション４３へと遷移する。
【００６９】
長凹部セクション４３は、その下端において半円形状を有し、その内部寸法はそれぞれ、、挿入部３、５の長脚７の設置用基部１８のガイド表面２３の外部寸法に略対応する。長凹部セクション４３に設けられた床表面４９は、これを取り囲む段差５０によって、内側に向かって範囲を定められている。段差５０の内側に設けられた基部表面４７は、床表面４９よりも深い。長凹部セクション４３に向かって傾斜している、長脚７のガイド表面２３と相補的な、周囲を取り囲む嵌合面６３は、床表面４９に外向きに隣接して、蟻溝式のガイドを形成する。
【００７０】
尾栓スライド３７の側部表面にリブ４８が設けられ、これはそれぞれ互いの鏡像として設計され、尾栓スライドの把持を更に容易にする。
【００７１】
図３は、右側凹部３９に挿入された右側挿入部５、及び左側凹部３９に挿入される前の装弾補助器１の左側挿入部３を示す。上から挿入する際、挿入部のガイド表面２３は長凹部セクション４３の嵌合面６３に後ろから係合する。更に挿入すると、嵌合面６３は特徴部分１１を僅かに内側に、設置用基部１８の凹状領域に向かって押圧する。挿入部３、５はそれぞれ、長脚７が長凹部セクション４３内に完全に収容され、短脚１７の下側表面が短凹部セクション４１内となり、短脚１７が平坦な表面５５と略同一平面となるまで、凹部３９に挿入できる。
【００７２】
図４は、組み立て済み状態における右側要素３及び左側要素５を示す。ここで特徴部分１１及び嵌合面６３は互いに対して張力を印加して、挿入部３、５が外に落ちるのを防止する。ハンドル３３は側方に突出し、長凹部セクション４３を超えて下向きに延在し、重複セクション５３において尾栓スライド３７の外側表面５１に重なる。
【００７３】
発砲方向における第１の凹部３９の下流において、尾栓スライド３７の上側表面に、照準ノッチ７１用の相補的な照準基部７５を受承するための第２の凹部８１が設けられ、これは尾栓スライド３７の長手方向を横切るように延在する。この凹部８１はそれぞれ、２つの対向する切欠き部ガイド表面５９によって、蟻溝式のガイドの様式で、その前方及び後方の範囲を画定される。照準基部７５は、この照準基部７５を凹部に横から挿入することによって設置できる。凹部８１の床表面８３は、その２つの側方縁部に２つの段差６１ａ、ｂを備える。
【００７４】
図５は、挿入部３、５が取り付けられ、照準ノッチ７１が凹部８１に挿入された状態の、尾栓スライド３７を示す。照準ノッチ７１は、形状に関して凹部８１と相補的である照準基部７５の下側表面を備え、設置用基部１８と同様の様式で凹部８１に挿入される。照準下側表面７７の後部領域は、平坦な表面５５及びそれに伴って挿入部３、５と、これら表面が同一平面となるように重なり、これにより、装弾補助器１又はその挿入部３、５を、上方に落ちないように固定する。照準ノッチ７１及び／又は装弾補助器１は更に、ねじ、接着剤、リベット、クランプ及び別の適切な締結手段を用いて固定できる。
【００７５】
尾栓スライドは更に、その上側表面に２つの突出部分６９を備え、装弾補助器１を取り付けた後又は取り外した後に照準ノッチ７１を上記突出部分６９に対して整列させることができる。
【００７６】
図示されていないダミーラグはそれぞれ、挿入部３、５の下側表面と同様の様式で構成され、その外側表面は平坦である。このタイプのダミーラグはそれぞれ、凹部３９を充填し、これにより、挿入済み状態のダミーラグの外側表面は、尾栓スライドと略同一平面となる。ダミーラグを使用する場合、ピストル又は尾栓スライドはそれぞれ、装弾補助器１を用いることなく使用できる。
【符号の説明】
【００７７】
１          装弾補助器
３          左側挿入部
５          右側挿入部
７          長脚
９          内角
１１        特徴部分
１３        側壁
１５        段差
１７        短脚
１８        設置用基部
１９        縁部表面
２１        外側表面／突出部分
２３        設置用基部上のガイド表面
２５        キャビティ
２７        延長部分
２９        遷移部分
３１        ガイド表面の上端部
３３        ハンドル
３５        頂線
３７        尾栓スライド
３９        凹部
４１        短凹部セクション
４３        長凹部セクション
４５        外角
４７        基部表面
４８        リブ
４９        床表面
５０        段差
５１        尾栓スライドの外側表面
５３        重複部分
５５        上側表面上の平坦な表面
５９        ガイド表面
６１ａ、ｂ  段差
６３        嵌合表面
６９        突出部分
７１        照準ノッチ
７５        照準基部
７７        照準下側表面
８１        凹部
８３        床表面
【図１】
2016521344.tif 000003
【図２】
2016521344.tif 000004
【図３】
2016521344.tif 000005
【図４】
2016521344.tif 000006
【図５】
2016521344.tif 000007
【手続補正書】
【提出日】平成27年11月10日(2015.11.10)
【手続補正１】
【補正対象書類名】特許請求の範囲
【補正対象項目名】全文
【補正方法】変更
【補正の内容】
【特許請求の範囲】
【請求項１】
尾栓スライド（３７）と、前記尾栓スライド（３７）上に配置された装弾補助器（１）とを有するピストルであって、
前記装弾補助器（１）は、前記尾栓スライド（３７）の外側表面から、少なくとも１つの突出部分（２１）の形態で突出し、
前記装弾補助器（１）は、前記尾栓スライド（３７）上に着脱可能に設置される、ピストルにおいて、
前記装弾補助器（１）は照準要素（７１）の下側に配置され、前記照準要素（７１）の基部（７５）によって、外に落ちないように固定されることを特徴とする、ピストル。
【請求項２】
前記ピストルの前記装弾補助器（１）は、前記尾栓スライド（３７）の両側に装弾補助器挿入部（３、５）をそれぞれ備え、
前記装弾補助器挿入部（３、５）は、互いに対して鏡像関係に配置されるか、又は互いに対してオフセットされている、請求項１に記載のピストル。
【請求項３】
ピストル用の尾栓スライド（３７）であって、
前記尾栓スライド（３７）は、略Ｕ字型のプロファイルを有し、また、前記尾栓スライド（３７）上に着脱可能に設置される装弾補助器（１）を有する、尾栓スライド（３７）において、
前記尾栓スライド（３７）の前記装弾補助器（１）は、照準要素（７１）の下側に配置され、前記照準要素（７１）の基部（７５）によって、外に落ちないように固定されることを特徴とする、尾栓スライド（３７）。
【請求項４】
前記尾栓スライド（３７）は、前記尾栓スライド（３７）の外側表面（５１）上に、前記装弾補助器（１）の着脱可能な設置のための第１の凹部（３９）を備え、
前記第１の凹部（３９）は、前記装弾補助器（１）の設置用基部（１８）と相補的となるように設計される
ことを特徴とする、請求項３に記載の尾栓スライド（３７）。
【請求項５】
前記尾栓スライド（３７）の前記第１の凹部（３９）は、少なくとも１つの凹部セクション（４１、４３）を備え、
前記少なくとも１つの凹部セクション（４１、４３）は、前記尾栓スライド（３７）の側部表面及び／又は上側表面上に形成され、前記尾栓スライド（３７）の長手方向軸を横切るように延在する、請求項４に記載の尾栓スライド（３７）。
【請求項６】
前記尾栓スライド（３７）の前記第１の凹部（３９）は、前記装弾補助器（１）又は前記装弾補助器（１）の装弾補助器挿入部（３、５）を挿入するため及び取り外すためのガイド表面（６３）を備え、
前記ガイド表面（６３）は、蟻溝式ガイドの様式の切欠き部を有する、請求項４又は５に記載の尾栓スライド（３７）。
【請求項７】
前記尾栓スライド（３７）の前記第１の凹部（３９）は、前記尾栓スライド（３７）の両側に凹部セクション（４１、４３）をそれぞれ有し、
前記凹部セクション（４１、４３）は、互いに対してオフセットされた状態で、又は前記尾栓スライド（３７）の長手方向軸に関して互いの鏡像として、形成される、請求項４〜６のいずれか１項に記載の尾栓スライド（３７）。
【請求項８】
特に照準要素（７１）の形態の固定要素を受承するための、少なくとも１つの第２の凹部（８１）を有し、
前記照準要素（７１）は、取り付けられた前記装弾補助器（１）又は前記装弾補助器（１）の前記装弾補助器挿入部（３、５）を、前記尾栓スライド（３７）から外に落ちないように、又は前記尾栓スライド（３７）の内側で変位しないように固定し、
前記第２の凹部（８１）は特に、ガイド表面（５９）を蟻溝式ガイドの様式で有する、請求項４〜７のいずれか１項に記載の尾栓スライド（３７）。
【請求項９】
前記第１の凹部（３９）は、前記尾栓スライド（３７）の後端領域に設けられる、請求項４〜８のいずれか１項に記載の尾栓スライド（３７）。
【請求項１０】
請求項３〜９のいずれか１項に記載の尾栓スライド（３７）用の、装弾補助器（１）であって、
前記装弾補助器（１）の設置用基部（１８）は、前記尾栓スライド（３７）の第１の凹部（３９）と相補的となるよう設計される、装弾補助器（１）。
【請求項１１】
前記装弾補助器（１）の装弾補助器挿入部（３、５）は、略Ｌ字型の脚（７、１７）を備え、
前記脚（７、１７）の外側表面は、把持可能な突出部分（２１）として設計される、請求項１０に記載の装弾補助器（１）。
【手続補正書】
【提出日】平成27年11月13日(2015.11.13)
【手続補正１】
【補正対象書類名】図面
【補正対象項目名】全図
【補正方法】変更
【補正の内容】
【図１】
2016521344.tif 000008
【図２】
2016521344.tif 000009
【図３】
2016521344.tif 000010
【図４】
2016521344.tif 000011
【図５】
2016521344.tif 000012
【国際調査報告】
2016521344.tif 000013
2016521344.tif 000014
2016521344.tif 000015
2016521344.tif 000016
2016521344.tif 000017
2016521344.tif 000018